(57)【要約】【課題】家具類、ディスプレイ品等を載せ、これらが大型で重量性があってもスムーズに回転できるように、頑丈でしかも純機械的な構成による回転板装置を提供する。【解決手段】中央の軸受部材２と、該軸受部材２を介して互いに相対回転する上下一対の回転板部材１ａ，１ｂと、両回転板部材１ａ，１ｂの間に軸受部材２を中心にして配した環状保持枠部材４に取り付けた複数のボールベアリング５とを備え、該ボールベアリング５は前記両回転板部材１ａ，１ｂそれぞれの内面に当接してなる。軸受部材２は、環状フランジ部２ａの片面に割込部２ｂを介して互いに対向配置した円弧状突起部２ｃと、両円弧状突起部２ｃの端部それぞれに内側から外側にかけて形成した円弧状フランジ部２ｄとを備える。また、回転板部材１ａ，１ｂの互いに対向する内面に配置する環状保持枠部材４に設けた筒部４ａの装着用貫通孔４ｂにボールベアリング５を嵌装する。【選択図】図１
0003129274.tif 000002
【実用新案登録請求の範囲】
【請求項１】
中央の軸受部材と、該軸受部材を介して互いに相対回転する上下一対の回転板部材と、両回転板部材の間に軸受部材を中心にして配された環状保持枠部材に取り付けられている複数のボールベアリングとを備え、該ボールベアリングは前記両回転板部材それぞれの内面に当接してなることを特徴とする家具類、ディスプレイ品等の回転板装置。
【請求項２】
軸受部材は、環状フランジ部の片面に割込部を介して互いに対向配置された円弧状突起部と、両円弧状突起部の端部それぞれに内側から外側にかけて形成された円弧状フランジ部とを備えてなる請求項１記載の家具類、ディスプレイ品等の回転板装置。
【請求項３】
軸受部材は、環状フランジ部側から内側に嵌挿して係止されるストッパー部材を備えた請求項２記載の家具類、ディスプレイ品等の回転板装置。
【請求項４】
回転板部材の互いに対向する内面には、環状保持枠部材の内周縁部分が保持されるよう軸受部材を中心とした周囲に複数の位置決め用係止突起部を有している請求項１乃至３のいずれか記載の家具類、ディスプレイ品等の回転板装置。
【請求項５】
環状保持枠部材は、装着用貫通孔が穿設されている複数の筒部を有し、装着用貫通孔それぞれにボールベアリングが嵌装され、各ボールベアリングは、両回転板部材の互いに対向する内面それぞれに形成されている環状溝部に係合している請求項１乃至４のいずれか記載の家具類、ディスプレイ品等の回転板装置。
【考案の詳細な説明】
【技術分野】
【０００１】
本考案は、例えば旅行代理店でのカウンター等で、重量性のある縦長のディスプレイ品を載せて回転させたり、あるいは重量性のある家具・備品類を載せて回転させたりするために利用する家具類、ディスプレイ品等の回転板装置に関する。
【背景技術】
【０００２】
従来においては、特許文献１に開示されているように、照明光源を有する照明室の上に位置する区画板、この区画板に穿設した貫通穴、貫通穴の上方に位置させて固定した上下方向に延びる回転支持棒、およびこの回転支持棒の上端部に回転自在に支持される軸受体それぞれと、この軸受体を中心に配置されたフィンを有し空気が通過することで回転力を生じさせる風車部とを有する回転ディスプレイ体を備え、点灯した照明用蛍光灯からの熱により区画板の下方の照明室内が熱せられて当該区画板の上下に温度差が生じ、貫通穴の下方から上方に流れる空気の対流が生じ、この空気流が風車部のフィンの間の空間を通り、フィンの形状によって回転ディスプレイ体に回転力を生じさせることで、ガラス製の軸受体と中心針金部の先端部の球は、回転ディスプレイ体を低摩擦で回転することを許すものとした回転ディスプレイ装置が存在する。
【０００３】
また、特許文献２に開示されているように、上部を開放し底部および側部を有する円筒状に形成し、前記底部内面の中央にほぼ倒円錐形状の支持突起を設けた透視可能な外側ポットと、上部を開放し、底部および所定の広告表示や装飾を表示したシールを貼着した側部を有する円筒状に形成し、前記外側ポット内に該外側ポットとの間に所定の空隙をおいて回転可能に収容しうる大きさとなし、前記底部外面の中央に、前記外側ポットの支持突起に回転可能に嵌合する嵌合穴を設けた内側ポットとから構成すると共に、この嵌合穴は、内側ポットの底部の中央外面に設けた膨出部に穿設し、前記シール裏面には、水に付けても貼着状態を維持し、必要に応じて剥離可能な接着剤を塗布してあり、外側ポット内には透視可能な液体である水を適量入れてあり、内側ポットを収容することによって、それぞれの側部間および底部間にそれぞれ形成された空隙に、前記水が充填されてなる回転ディスプレイ装置が存在する。
【０００４】
さらに、特許文献３に開示されているように、回転ヘッド部の中心軸を本体の中心孔に係合し、前記回転ヘッドの内面と本体の頂面を水平面で突き合せ、前記回転ヘッド部の内面に多数の半径方向の羽根を円周状に配列し、前記本体の頂面に前記中心孔と連通する放射状の複数の弯曲溝を設け、この弯曲溝の先端を前記羽根に対向させ、前記中心孔から水流を噴出できるようにした構成とし、ポンプを駆動して本体の通路から中心孔に水流を導入すると、放射状の弯曲溝を通ってその先端から回転ヘッド部の羽根に向って水流が噴出され、ヘッド部の内面と本体の頂面との間に形成された薄い水膜によってヘッド部がスムーズに回転するものとしたディスプレイ装置が存在する。
【特許文献１】特開２００６−８４７６２号公報
【特許文献２】特開２００４−１０１６１３号公報
【特許文献３】特開平６−１５５９９９号公報
【考案の開示】
【考案が解決しようとする課題】
【０００５】
しかしながら、上述した従来例において、特許文献１の場合では、飲料缶の自動販売機のダミー缶を載せて使用する。また、特許文献２の場合では、広告、宣伝あるいは屋内装飾品として利用する。さらに、特許文献３の場合では、モニュメント、オブジェ、庭園装飾品などを載せて使用する。このように従来におけるディスプレイ装置は、熱対流や水流を利用することで、比較的軽量なものを回転させるものとして使用されているのであり、例えば大型の家具類や重量性のあるディスプレイ品等を載せて回転させる頑丈でしかも純機械的な構成による回転板装置は利用されていないのが実状である。
【０００６】
そこで、本考案は叙上のような従来存した諸事情に鑑み創案されたもので、例えば家具類、備品類やディスプレイ品等を載せても、また、これらが大型で重量性がある場合であっても載置品をスムーズに回転させることができる頑丈でしかも純機械的な構成による家具類、ディスプレイ品等の回転板装置を提供することを目的とする。
【課題を解決するための手段】
【０００７】
上述した課題を解決するため、本考案に係る回転板装置にあっては、中央の軸受部材２と、該軸受部材２を介して互いに相対回転する上下一対の回転板部材１ａ，１ｂと、両回転板部材１ａ，１ｂの間に軸受部材２を中心にして配された環状保持枠部材４に取り付けられている複数のボールベアリング５とを備え、該ボールベアリング５は前記両回転板部材１ａ，１ｂそれぞれの内面に当接してなる回転板装置１としたものである。
軸受部材２は、環状フランジ部２ａの片面に割込部２ｂを介して互いに対向配置された円弧状突起部２ｃと、両円弧状突起部２ｃの端部それぞれに内側から外側にかけて形成された円弧状フランジ部２ｄとを備えてなるものとできる。
軸受部材２は、環状フランジ部２ａ側から内側に嵌挿して係止されるストッパー部材３を備えたものとできる。
回転板部材１ａ，１ｂの互いに対向する内面には、環状保持枠部材４の内周縁部分が保持されるよう軸受部材２を中心とした周囲に複数の位置決め用係止突起部６を有しているものとできる。
環状保持枠部材４は、装着用貫通孔４ｂが穿設されている複数の筒部４ａを有し、装着用貫通孔４ｂそれぞれにボールベアリング５が嵌装され、各ボールベアリング５は、両回転板部材１ａ，１ｂの互いに対向する内面それぞれに形成されている環状溝部７に係合しているものとできる。
【０００８】
以上のように構成された本考案に係る家具類、ディスプレイ品等の回転板装置にあって、上下一対の回転板部材１ａ，１ｂは、中央の軸受部材２、軸受部材２の周囲にある環状保持枠部材４の装着用貫通孔４ｂそれぞれに装着された複数のボールベアリング５それぞれによって互いに相対回転させる。
軸受部材２は、弧状フランジ部側から割込部２ｂを圧縮した状態にして両円弧状突起部２ｃを嵌挿し、反対側における挿入孔の外縁部に円弧状フランジ部２ｄを係止して保持させる。
ストッパー部材３は、環状フランジ部２ａ側から内側に嵌挿されて円弧状フランジ部２ｄの内側に係止させる。
回転板部材１ａ，１ｂの互いに対向する内面に形成された位置決め用係止突起部６は、一方の回転板部材１ａ，１ｂの内面に取り付けられた環状保持枠部材４の内周縁部分を保持させる。
環状保持枠部材４の筒部４ａにおける装着用貫通孔４ｂに嵌装されているボールベアリング５は、両回転板部材１ａ，１ｂの互いに対向する内面それぞれに形成されている環状溝部７に係合しながら当該両回転板部材１ａ，１ｂを相対回転可能にさせる。
【考案の効果】
【０００９】
本考案によれば、例えば家具類Ｑ・備品類や各種のディスプレイ品Ｐ等を載せても、しかもこれらが大型で、重量性があっても頑丈で且つ純機械的な構成によってこれらをスムーズに回転させることができる。特に、旅行代理店でのカウンター等で、重量性のある縦長のディスプレイ品Ｐを載せて回転させることで、人目を引くような回転広告塔や回転装飾体等としての利用が可能である。
【００１０】
すなわち、これは本考案が中央の軸受部材２と、該軸受部材２を介して互いに相対回転する上下一対の回転板部材１ａ，１ｂと、両回転板部材１ａ，１ｂの間に軸受部材２を中心にして配された環状保持枠部材４に取り付けられている複数のボールベアリング５とを備え、該ボールベアリング５は前記両回転板部材１ａ，１ｂそれぞれの内面に当接してなるからであり、これにより例えば大型の家具類Ｑや重量性のあるディスプレイ品Ｐ等をスムーズに回転させることがきる。
【００１１】
軸受部材２は、環状フランジ部２ａの片面に割込部２ｂを介して互いに対向配置された円弧状突起部２ｃと、両円弧状突起部２ｃの端部それぞれに内側から外側にかけて形成された円弧状フランジ部２ｄとを備えてなるので、円弧状フランジ部２ｄ側から割込部２ｂを圧縮し、窄めた状態にして両円弧状突起部２ｃを嵌挿させることで、両回転板部材１ａ，１ｂの相互の組立が簡単に行える。
【００１２】
軸受部材２は、環状フランジ部２ａ側から内側に嵌挿して係止されるストッパー部材３を備えたので、軸受部材２への圧潰等による外力に対する補強機能が容易に得られる。
【００１３】
回転板部材１ａ，１ｂの互いに対向する内面には、環状保持枠部材４の内周縁部分が保持されるよう軸受部材２を中心とした周囲に複数の位置決め用係止突起部６を有しているので、両回転板部材１ａ，１ｂの相対回転に伴い環状保持枠部材４の位置ズレを未然に防止でき、該ボールベアリング５を介してのスムーズな回転動作を得ることができる。
【００１４】
環状保持枠部材４は、装着用貫通孔４ｂが穿設された複数の筒部４ａを有し、装着用貫通孔４ｂそれぞれにボールベアリング５が嵌装され、各ボールベアリング５は、両回転板部材１ａ，１ｂの互いに対向する内面それぞれに形成されている環状溝部７に係合しているので、両回転板部材１ａ，１ｂの相対回転に伴いボールベアリング５の転動摩擦による回転不具合を未然に防止でき、該ボールベアリング５を介してのスムーズな回転動作を容易に得ることができる。
【００１５】
尚、上記の課題を解決するための手段、考案の効果の項夫々において付記した符号は、図面中に記載した構成各部を示す部分との参照を容易にするために付したもので、図面中の符号によって示された構造・形状に本考案が限定されるものではない。
【考案を実施するための最良の形態】
【００１６】
以下、図面を参照して本考案を実施するための最良の一形態を説明する。図において示される符号１は、例えば家具類Ｑやディスプレイ品Ｐ等を載せて回転可能とした本考案に係る回転板装置である。該回転板装置１は、図１に示すように、中央の軸受部材２と、該軸受部材２を介して互いに相対回転する上下一対の円板状の回転板部材１ａ，１ｂと、両回転板部材１ａ，１ｂの間に軸受部材２を中心にして配された環状保持枠部材４に取り付けられている複数のボールベアリング５とによって概ね構成されている。
【００１７】
尚、本実施の形態における回転板装置１は、重量性のある家具類Ｑやディスプレイ品Ｐ等に利用されているが、これに限らず、花瓶、置物、食器等、その他の軽量な物品を載せるために使用しても良いことは勿論である。
【００１８】
軸受部材２には、環状フランジ部２ａの片面に割込部２ｂを介して互いに対向配置された円弧状突起部２ｃが突設され、両円弧状突起部２ｃの端部それぞれには内側から外側にかけて幅広な円弧状フランジ部２ｄが形成されている。そして、両回転板部材１ａ，１ｂそれぞれの中心に環状凹部８を介して穿設した挿入孔９同士に、一方の回転板部材１ａ（１ｂ）側から軸受部材２の円弧状フランジ部２ｄ側にて割込部２ｂを圧縮し、窄めた状態にして両円弧状突起部２ｃが嵌挿され、他方の回転板部材１ｂ（１ａ）の反対側における挿入孔９の外縁部に、嵌挿後に復元して拡開する円弧状フランジ部２ｄが係止して保持されるようにしてある。さらに、環状フランジ部２ａ側の内側に筒状のストッパー部材３が嵌挿され、該ストッパー部材３の一端側に段差を介して突設された小径の環状突起部３ａが当該段差を介して円弧状フランジ部２ｄの内径側に係止されるようにしてある。
【００１９】
図２に示すように、回転板部材１ａ，１ｂの互いに対向する内面には、軸受部材２を中心とした周囲の例えば１２０度間隔毎に合計３つの突起状の位置決め用係止突起部６が突設されている。そして、この位置決め用係止突起部６に環状保持枠部材４の内周縁部分が保持されることで、当該環状保持枠部材４自体が軸受部材２を中心として回転板部材１ａ，１ｂの間で自由に摺動できるようにしてある。
【００２０】
また、この環状保持枠部材４の片面側の例えば６０度間隔毎に合計６つの筒部４ａが突設され、該筒部４ａ自体それぞれに装着用貫通孔４ｂが穿設されている。該装着用貫通孔４ｂそれぞれには、当該装着用貫通孔４ｂの内径と略同じ直径を有する金属製剛球等によるボールベアリング５が強制的に嵌装され、該ボールベアリング５によって、両回転板部材１ａ，１ｂの互いに対向する内面それぞれに形成されている環状溝部７が互いに係合した状態となって当該両回転板部材１ａ，１ｂが支持されている。
【００２１】
尚、前記した位置決め用係止突起部６は、両回転板部材１ａ，１ｂそれぞれに対し互いに３０度ずれた位置に形成されている。これによって、回転板部材１ａ，１ｂのいずれか側でも環状保持枠部材４が取り付けられるようにしている。
【００２２】
次に、以上のように構成された最良の形態についての組立の一例について説明する。図１に示すように、上下一対の回転板部材１ａ，１ｂのうち一方の回転板部材１ａの内面の位置決め用係止突起部６に環状保持枠部材４の内周縁部分を保持させた状態にして取り付ける。この環状保持枠部材４の装着用貫通孔４ｂそれぞれには予めボールベアリング５が強制的圧入によって嵌装されている。
【００２３】
そして、他方の回転板部材１ｂを被せてから、両回転板部材１ａ，１ｂそれぞれの挿入孔９同士に、一方の回転板部材１ａ（１ｂ）に対し軸受部材２の円弧状フランジ部２ｄ側から割込部２ｂを圧縮した状態にして両円弧状突起部２ｃを嵌挿し、他方の回転板部材１ｂ（１ａ）の反対側における挿入孔９の外縁部に円弧状フランジ部２ｄを係止して保持させた状態とする。
【００２４】
そして、環状フランジ部２ａ側の内側に筒状のストッパー部材３を嵌挿し、該ストッパー部材３と環状突起部３ａとの間の段差を介して当該環状突起部３ａを円弧状フランジ部２ｄの内径側に係止させた状態にする。こうして軸受部材２を介して互いに相対回転する上下一対の円板状の回転板部材１ａ，１ｂによる回転板装置１を形成する。
【００２５】
また、回転板装置１の使用に際しては、図３に示すように、例えば旅行代理店でのカウンター上の所定位置に回転板装置１における一方の回転板部材１ａを下側にして設置し、上側に位置する他方の回転板部材１ｂ上には、例えば三角柱状に形成された縦長のディスプレイ品Ｐを載せる。このとき、ディスプレイ品Ｐが載せられている上側の回転板部材１ａ，１ｂは、カウンター上に設置されている下側の回転板部材１ａ，１ｂに対して、中心の軸受部材２および軸受部材２の周囲にある複数のボールベアリング５を介して正逆回転方向に自由に回転するのであり、これによってディスプレイ品Ｐは人目を引くような回転広告塔や回転装飾体となるのである。
【００２６】
また、例えば家具販売店等での回転板装置１の使用に際し、図４に示すように、例えば店内での家具類Ｑの陳列所定位置に回転板装置１の一方の回転板部材１ａを下側にして設置し、上側に位置する他方の回転板部材１ｂ上には、例えば洋服ダンス等の家具類Ｑ商品を載せる。このとき、商品が載せられている上側の回転板部材１ａ，１ｂは、下側の回転板部材１ａ，１ｂに対して、中心の軸受部材２および軸受部材２の周囲にある複数のボールベアリング５を介して正逆回転方向に自由に回転するのであり、これによって家具類Ｑ商品の周囲全体の外観形態を手で回して自由に見ることができるため、購買意欲を発揮させるのに役立たせる。
【図面の簡単な説明】
【００２７】
【図１】本考案を実施するための最良の形態における回転板装置を示す分解斜視図である。
【図２】同じく回転板装置の一部切欠断面図である。
【図３】同じく回転板装置に縦長のディスプレイ品を載せて使用する状態を示す斜視図である。
【図４】同じく回転板装置に家具類を載せて使用する状態を示す斜視図である。
【符号の説明】
【００２８】
Ｐ…ディスプレイ品                      Ｑ…家具類
１…回転板装置                          １ａ，１ｂ…回転板部材
２…軸受部材                            ２ａ…環状フランジ部
２ｂ…割込部                            ２ｃ…円弧状突起部
２ｄ…円弧状フランジ部                  ３…ストッパー部材
３ａ…環状突起部                        ４…環状保持枠部材
４ａ…筒部                              ４ｂ…装着用貫通孔
５…ボールベアリング                    ６…位置決め用係止突起部
７…環状溝部                            ８…環状凹部
９…挿入孔
【図１】
0003129274.tif 000003
【図２】
0003129274.tif 000004
【図３】
0003129274.tif 000005
【図４】
0003129274.tif 000006